(57)【特許請求の範囲】
【請求項１】
本体と蓋にまたがるようにして容器に貼付する封止用シールであって、シール基材の一面に、粘着部と、この粘着部を２つの部分に分断するよう中央部を横断する非粘着部を設け、この非粘着部は、シール基材を前記粘着部によって容器に貼付した時に、容器の本体と蓋の境に対応位置させる位置決め用であるとともに開封具が挿入可能な幅を有する一方、シール基材を中央部から端部に向けて剥離するとシール基材を破断することなく剥離可能で、シール基材を端部方向から中央部に向けて剥離するとシール基材を破断する破断部を設けたことを特徴とする封止用シール。
【請求項２】
前記破断部は、前記シール基材の各端部側から中央部に向けて、頂部から次第に間隔が広くなるように延びるスリットからなることを特徴とする請求項１記載の封止用シール。
【発明の詳細な説明】
【技術分野】
【０００１】
本発明は、本体と蓋からなる容器の封止用シールに関し、特に、再利用する容器に使用して好適であるとともに、不正に開封したことを視覚的に容易に識別可能な封止用シールに関する。
【背景技術】
【０００２】
従来から、不正に剥がした場合には破断されて、初期貼付状態に復元不能とし、痕跡が貼付面に残ることにより不正に開封されたことを識別可能な封止用シールは、各種の構成が知られている。例えば、シール基材を分割用ミシン目で２等分するとともに、裏面には貼付用の粘着剤層を設け、各分割部分に、各端部から前記分割用ミシン目方向に剥がした場合にはシール基材を破くようにする一方、前記分割用ミシン目を破断して、ここから端部方向に剥がした場合にはシール基材を破かないようにする不正開封防止用切断線を形成してなり、前記分割用ミシン目を容器の本体と蓋の境目に対応させて貼付して使用する封止用シールがある（特許文献１）。
【０００３】
また、例えば、シール基材を分割用ミシン目で２等分するとともに、裏面には貼付用の粘着剤層を設け、各端部には不正開封防止用切り込みを形成し、各端部から前記分割用ミシン目方向に剥がした場合には不正開封防止用切り込み部分からシール基材が破けてしまう一方、前記分割用ミシン目を破断して、ここから端部方向に剥がした場合には不正開封防止用切り込み部分が破断しないようになし、前記分割用ミシン目を容器の本体と蓋の境目に対応させて貼付して使用する封止用シールがある（特許文献２）。
【先行技術文献】
【特許文献】
【０００４】
【特許文献１】特開２００４−０８５６１４号公報
【特許文献２】特開２００４−２０５９５５号公報
【発明の概要】
【発明が解決しようとする課題】
【０００５】
しかし、これら従来の封止用シールは、いずれも分割用ミシン目を容器の本体と蓋の境目に対応させて貼付して使用するのであるが、前記分割用ミシン目を前記境目に対応させる位置決めが難しく、この位置決めを正確に行なわないと、前記分割用ミシン目は粘着剤層に対応しているのでこれを破断することが容易でなく、正規の開封方法で封止用シールをきれいに剥離することが困難になるという不都合がある。本発明は、このような不都合を解消した封止用シールを提供することを目的とする。
【課題を解決するための手段】
【０００６】
この目的を達成するため本発明の請求項１に係る封止用シールは、本体と蓋にまたがるようにして容器に貼付する封止用シールであって、シール基材の一面に、粘着部と、この粘着部を２つの部分に分断するよう中央部を横断する非粘着部を設け、この非粘着部は、シール基材を前記粘着部によって容器に貼付した時に、容器の本体と蓋の境に対応位置させる位置決め用であるとともに開封者の指先や筆記具などの開封具が挿入可能な幅を有する一方、シール基材を中央部から端部に向けて剥離するとシール基材を破断することなく剥離可能で、シール基材を端部方向から中央部に向けて剥離するとシール基材を破断する破断部を設けたものである。
【０００７】
また、本発明の請求項２に係る封止用シールは、請求項１の構成において、前記破断部は、前記シール基材の各端部側から中央部に向けて、頂部から次第に間隔が広くなるように延びるスリットからなるものである。
【発明の効果】
【０００８】
本発明に係る封止用シールによれば、容器に貼付する際の位置決めが容易であり、また、不正開封されたか否かを、シール基材の破断の有無や残存状態で視覚的に容易に識別でき、さらに、正規に開封した場合は、貼付面からきれいに剥がれるので、貼付していた容器を再利用する際の美感を損なわないという効果を奏する。
【図面の簡単な説明】
【０００９】
【図１】本発明の封止用シールを連続状態としてロール状に巻回してなる第１の実施形態を示す斜視図。
【図２】図１のＡ−Ａ線断面図。
【図３】単位化した封止用シールを容器に貼付した状態を示す斜視図。
【図４】不正開封状態を示す斜視図。
【図５】正規開封状態を示す斜視図。
【図６】本発明の非粘着部の他の実施形態を示す断面図。
【発明を実施するための形態】
【００１０】
以下、本発明の第１の実施形態について説明すると、図１に示すように、本実施形態の封止用シール１は、切り用ミシン目２を境に多数連接された連続状態に形成され、ロール状に巻回されている。
【００１１】
封止用シール１は、図１及び図２に示すように、合成樹脂フィルムからなるシール基材３の一面に、粘着部たる透視可能な粘着剤を塗布してなる粘着剤層４と、この粘着剤層４の上に、非粘着部たる透視可能な粘着抑制剤を塗布してなる粘着抑制剤層５を設ける一方、シール基材３の他面には、剥離剤を塗布してなる剥離剤層６を設けている。連続状態にある封止用シール１をロール状に巻回すると、前記粘着剤層４は前記剥離剤層６と対接した状態となり、また、前記剥離剤層６が表出面側に位置する状態となるので、ロール状態からの封止用シール１の引き出しをはじめとするロール状の封止用シール１の取り扱いは容易になされる。
【００１２】
粘着剤層４の粘着力は、一旦容器１０に貼付すると通常の取扱では容器１０から剥離しないが、所定以上の力を与えると剥離可能に設定されている。この粘着剤層４を各切り用ミシン目２に対応する部分を除いて設けると、粘着剤が前記切り用ミシン目２を通って剥離剤層６側に滲み出ることがないので、好適である。また、粘着抑制剤層５を形成する粘着抑制剤としては、剥離剤や各種印刷インキを用いることができる。
【００１３】
図１に示すように、粘着抑制剤層５は、粘着剤層４を２つの部分に分断するよう、シール基材３の中央部を帯状に横断するとともに、各端部側（切り用ミシン目２側）に向けて台形状に突出するよう設けられている。また、前記粘着抑制剤層５は、シール基材３を前記粘着剤層４によって図３に示す容器１０に貼付した時に、容器１０の本体１０ａと蓋１０ｂの境Ｘに対応位置させる位置決め用であるとともに、開封者の指先や筆記具などの開封具が挿入可能な幅を有する（図５参照）。
【００１４】
図１〜図３に示すように、シール１基材３には、剥離剤層６も貫通するように、各粘着剤層４の端部側対応部分から粘着抑制剤層５対応部分に向けて、頂部から次第に間隔が広くなるよう直線的に延びて終端は前記粘着抑制剤層５対応部分に位置する、破断部たるＶ字状のスリット７を設けている。これらスリット７は、中央部側が開いているＶ字状なので、貼付状態にあるシール基材３を中央部から端部に向けて剥離するとシール基材３を破断することなく剥離可能で、シール基材３を端部方向から中央部に向けて剥離するとシール基材３は破断される。なお、前記粘着剤層４及び前記粘着抑制剤層５はともに透視可能なので、前記各層４，５の設置面からも前記スリット７は視認可能である。
【００１５】
続いて、上述した封止用シール１の使用方法を説明する。ロール状態に巻回されている連続状の封止用シール１を引き出して、切り用ミシン目２で切断して単位化する。単位化した封止用シール１は、粘着剤層４が露出するので、この粘着剤層４によって、図３に示すように、容器１０の本体１０ａと蓋１０ｂにまたがるようにして容易に貼付することができる。この時、粘着抑制剤層５は一定の幅を有しているので、この粘着抑制剤層５を容器１０の本体１０ａと蓋１０ｂとの境Ｘに対応させる位置決めは容易になされる。
【００１６】
図３状態において、容器１０の蓋１０ｂを不正に開けようとして、封止用シール１のシール基材３を端部側から中央部に向けて剥離する不正開封を行なった場合は、スリット７の頂部までは正常に剥離されるが、さらに剥離動作を続けると、図４に示すように、シール基材３は前記スリット７に沿って破断されてしまう。そして、この破断状態を初期状態に復元することは不可能であり、破断の痕跡が残ってしまうので、不正開封したことは視覚的に容易に識別可能である。
【００１７】
一方、図３状態において、封止用シール１の粘着抑制剤層５に開封具、例えば開封者の指先Ｆを挿入してシール基材３を、図５に示すように、中央部から端部に向けて剥離すると、シール基材３はスリット７に沿って破断することなく、一体状態を保ってきれいに剥離される。したがって、この場合は、容器１０を再利用するときに、封止用シール１を貼付していた痕跡が残らないので、美感を損なうことなく使用可能である。
【００１８】
図６は本発明の別の実施形態において、図２と同一位置における断面を示すのもので、本実施形態の封止用シール１１が上述の封止用シール１と相違するのは、非粘着部の構成だけであり、シール基材１３の一面の適所（図１に示す粘着剤層４に対応する部分）に、粘着部たる粘着剤を塗布してなる粘着剤層１４を設ける一方、シール基材１３の他面には、剥離剤を塗布してなる剥離剤層１６を設け、また、前記シール基材１３に前記剥離剤層１６にも及ぶスリット１７が設けられている。そして、非粘着部は、前記粘着剤層１４を設けていないシール基材１３の露出面たる粘着剤非塗布部１５で構成している。
【００１９】
本実施形態も上述した第１の実施形態と同様に、不正開封を行なうと、スリット１７が破断する一方、正規の剥離方法に従えば、封止用シール１１のシール基材１３はスリット１７に沿って破断することなく、一体的にきれいに剥離される。したがって、本実施形態においても不正開封されたことを、視覚的に容易に識別可能である。
【００２０】
なお、本発明は、上述の各実施形態に限定されるものではなく、例えば、封止用シール１，１１は連続状態ではなく単片状態に構成してもよく、この場合は剥離剤層６，１６に替えて粘着剤層４，１４を被覆する剥離紙を設ければよい。また、シール基材３，１３に広告文などの印刷表示を設けてもよい。さらに、スリット７，１７の形状は、Ｖ字状に限らず頂部をアール状にしたものでもよい。またさらに、シール基材３，１３の材質も合成樹脂製フィルムに限らないものである。
【符号の説明】
【００２１】
１，１１      封止用シール
２      切り用ミシン目
３，１３      シール基材
４，１４      粘着剤層
５      粘着抑制剤層
６，１６      剥離剤層
７，１７      スリット
１０      容器
１０ａ      本体
１０ｂ      蓋
１５      粘着剤非塗布部
【図１】
0005409429.tif 000002
【図２】
0005409429.tif 000003
【図３】
0005409429.tif 000004
【図４】
0005409429.tif 000005
【図５】
0005409429.tif 000006
【図６】
0005409429.tif 000007